(57)【特許請求の範囲】
【請求項１】
制御装置からの印字指示に基づいて、明細票に各種の情報を印字する明細票取扱装置において、
前記明細票に各種の情報を印字する明細票印字部と、
前記明細票の発色状態を検出する発色状態検出手段と、
前記明細票印字部に、前記各種の情報を印字させる制御部とを有し、
前記制御部は、
前記制御装置から前記明細票の発色状態を確認するための印字パターンの印字指示が入力された場合に、
前記明細票印字部に、前記明細票に対して、前記発色状態検出手段が通過する範囲上に、濃度差を有する複数種類の印字パターンを印字させるとともに、
前記発色状態検出手段による前記複数種類の印字パターンの検出状況を表す検出信号を前記制御装置に出力する
ことを特徴とする明細票取扱装置。
【請求項２】
請求項１に記載の明細票取扱装置において、
前記制御部は、前記明細票印字部に、前記明細票に対して、濃度の濃い第１印字パターンと、当該第１印字パターンよりも濃度の薄い第２印字パターンとを印字させる
ことを特徴とする明細票取扱装置。
【請求項３】
請求項２に記載の明細票取扱装置において、
前記制御部は、前記明細票印字部に、前記明細票に対して、前記第２印字パターンよりもさらに濃度の薄い第３印字パターンを印字させる
ことを特徴とする明細票取扱装置。
【請求項４】
ホストコンピュータと通信して取引を実行する自動取引装置において、
各部を制御する制御部と、
各種の情報を表示する表示部と、
取引結果を明細票に印字して顧客に発行する明細票取扱部とを有し、
前記明細票取扱部は、前記明細票に印字を行う明細票印字部と、前記明細票の発色状態を検出する発色状態検出手段とを備え、
前記明細票印字部は、前記明細票に対して、濃度差を有する複数種類の印字パターンを印字し、
前記制御部は、前記発色状態検出手段による前記複数種類の印字パターンの検出状況を前記表示部に表示させる
ことを特徴とする自動取引装置。
【請求項５】
請求項４に記載の自動取引装置において、
前記明細票印字部は、前記明細票に対して、前記発色状態検出手段が通過する範囲上に、前記複数種類の印字パターンを印字する
ことを特徴とする自動取引装置。
【請求項６】
請求項４又は請求項５に記載の自動取引装置において、
前記制御部は、前記発色状態検出手段による前記複数種類の印字パターンの検出状況に応じて、前記発色状態検出手段のメンテナンスの必要の有無を判定し、判定結果を前記表示部に表示させる
ことを特徴とする自動取引装置。
【請求項７】
請求項６に記載の自動取引装置において、
前記明細票印字部は、前記明細票に対して、濃度の濃い第１印字パターンと、当該第１印字パターンよりも濃度の薄い第２印字パターンとを印字し、
前記制御部は、前記発色状態検出手段によって、前記第１印字パターン及び前記第２印字パターンが検出された場合に、前記発色状態検出手段のメンテナンスを不要と判定し、一方、前記発色状態検出手段によって、前記第１印字パターンのみが検出された場合又は前記第１印字パターン及び前記第２印字パターンの双方が検出されなかった場合に、前記発色状態検出手段のメンテナンスを必要と判定する
ことを特徴とする自動取引装置。
【請求項８】
請求項７に記載の自動取引装置において、
前記制御部は、
前記発色状態検出手段によって、前記第１印字パターンのみが検出された場合に、所定期間以内に前記発色状態検出手段のメンテナンスを行うことを保守員に要請する画面を前記表示部に表示させ、
一方、前記発色状態検出手段によって、前記第１印字パターン及び前記第２印字パターンの双方が検出されなかった場合に、直ちに前記発色状態検出手段のメンテナンスを行うことを保守員に要請する画面を前記表示部に表示させる
ことを特徴とする自動取引装置。
【請求項９】
請求項７又は請求項８に記載の自動取引装置において、
さらに、前記第２印字パターンの濃度を指定する入力部を有する
ことを特徴とする自動取引装置。
【請求項１０】
請求項７乃至請求項９のいずれか一項に記載の自動取引装置において、
前記明細票印字部は、前記明細票に対して、前記第２印字パターンよりもさらに濃度の薄い第３印字パターンを印字する
ことを特徴とする自動取引装置。
【発明の詳細な説明】
【技術分野】
【０００１】
本発明は、明細票に様々な情報を印字する明細票取扱装置、及び、金融機関等に設置されたホストコンピュータと通信して取引を実行し、当該明細票取扱装置を用いて取引内容等を明細票に印字する自動取引装置に関する。
【背景技術】
【０００２】
金融機関等に設置されたホストコンピュータと通信して取引を実行する自動取引装置は、明細票に様々な情報を印字する明細票取扱装置やその他の複雑な装置を搭載する精密機械であるため、自動取引装置を構成する各部の清掃や調整等のメンテナンスが一定期間以内に行われることが好ましい。そのために、自動取引装置の保守員は、例えば、定期的な装置の保守・点検を行う場合や、装置に何らかの障害が発生してその復旧作業を行う場合に、装置の保守・点検に合わせて、各部のメンテナンスを行っている。
【０００３】
このとき、保守員は、顧客に発行される明細票の発色状態検出手段として利用されている光学センサに対しても、メンテナンスを行っている。この光学センサは、明細票取扱装置によって明細票に印字された情報が鮮明に発色していることを確認するために、明細票に印字された情報とその周囲の白地部との光の反射率の違いを検出し、その違いに基づいて明細書の発色状態を検出する。
【０００４】
従来、保守員は、その光学センサの汚れ度合いや検出精度の劣化の有無等に関係なく、装置の保守・点検に合わせて、光学センサの清掃や調整等のメンテナンスを行うことにより、装置の性能維持を図っていた。
【０００５】
なお、例えば、特許文献１には、光学センサの清掃を自動的に行うことが提案されている。特許文献１に開示された技術は、自動取引装置の中の光学センサがゴミや塵埃によって汚れている場合に、エアーを吹き付けることによって、自動的に清掃するものである。ただし、特許文献１に開示された技術は、エアーを圧縮するためのコンプレッサやエアーを光学センサまで導くためのホース等の構成要素が必要になるため、製造コストが増大したり、製造時の作業が複雑化したり、装置の小型化が妨げられたりする。そのため、現状は、特許文献１に開示された技術が普及しておらず、従来と変わらずに、保守員が手作業で光学センサのメンテナンスを行うのが一般的である。
【先行技術文献】
【特許文献】
【０００６】
【特許文献１】特開平７−３２５９５５号公報
【発明の概要】
【発明が解決しようとする課題】
【０００７】
従来の自動取引装置は、明細票の発色状態検出手段として利用されている光学センサのメンテナンスの必要の有無を見分けるための機能を有していない。そのため、保守員は、発色状態検出手段の汚れ度合いや検出精度の劣化の有無に関係なく、装置の保守・点検に合わせて、発色状態検出手段のメンテナンスを行う必要があった。したがって、従来の自動取引装置は、発色状態検出手段のメンテナンスを行う必要がない場合であっても、保守員に発色状態検出手段のメンテナンスを行わせる必要があった。
【０００８】
その結果、従来の自動取引装置は、発色状態検出手段のメンテナンスが不要な可能性があるにも関わらず、メンテナンスのための時間を必要とし、これにより、装置の可動性能が低下するとともに、保守費用が増加する、という課題があった。
【０００９】
しかも、従来の自動取引装置は、発色状態検出手段やその周囲の構造によっては、発色状態検出手段のメンテナンスを行うために、装置を分解して再組み立てを行う必要がある。この場合に、従来の自動取引装置は、メンテナンスのための時間が長期化し、装置の可動性能がさらに低下する、という課題があった。
【００１０】
本発明は、前記した課題を解決するためになされたものであり、明細票の発色状態検出手段の不要なメンテナンスが行われるのを回避する明細票取扱装置、及び、これを用いた自動取引装置を提供することを主な目的とする。
【課題を解決するための手段】
【００１１】
前記目的を達成するため、第１発明は、制御装置（例えば、図１に示す制御部１１）からの印字指示に基づいて、明細票に各種の情報を印字する明細票取扱装置であって、前記明細票に各種の情報を印字する明細票印字部と、前記明細票の発色状態を検出する発色状態検出手段と、前記明細票印字部に、前記各種の情報を印字させる制御部（例えば、図２に示すサブ制御部２０）とを有し、前記制御部は、前記制御装置から前記明細票の発色状態を確認するための印字パターンの印字指示が入力された場合に、前記明細票印字部に、前記明細票に対して、前記発色状態検出手段が通過する範囲上に、濃度差を有する複数種類の印字パターンを印字させるとともに、前記発色状態検出手段による前記複数種類の印字パターンの検出状況を表す検出信号を前記制御装置に出力する構成とする。
【００１２】
この明細票取扱装置は、明細票印字部が、明細票に対して、濃度差を有する複数種類の印字パターンを印字する。そして、制御部が、発色状態検出手段による複数種類の印字パターンの検出状況（例えば、濃度の濃い印字パターンと濃度の薄い印字パターンの双方が検出された場合や、濃度の濃い印字パターンのみ検出された場合、濃度の濃い印字パターンと濃度の薄い印字パターンの双方が検出されなかった場合等の状況）を表す検出信号を制御装置に出力する。これにより、制御部は、例えば、制御装置に、検出信号に基づいて、発色状態検出手段による複数種類の印字パターンの検出状況を表示部に表示させることができ、もって、保守員に、検出状況に応じて、発色状態検出手段のメンテナンスの必要の有無を判定させる。
【００１３】
この明細票取扱装置は、発色状態検出手段のメンテナンスが不要な場合に、保守員に、メンテナンスが不要であると判定させることができる。そのため、この明細票取扱装置は、発色状態検出手段の不要なメンテナンスが行われるのを回避することができる。
【００１４】
また、第２発明は、ホストコンピュータと通信して取引を実行する自動取引装置であって、各部を制御する制御部と、各種の情報を表示する表示部と、取引結果を明細票に印字して顧客に発行する明細票取扱部とを有し、前記明細票取扱部は、前記明細票に印字を行う明細票印字部と、前記明細票の発色状態を検出する発色状態検出手段とを備え、前記明細票印字部は、前記明細票に対して、濃度差を有する複数種類の印字パターンを印字し、前記制御部は、前記発色状態検出手段による前記複数種類の印字パターンの検出状況を前記表示部に表示させる構成とする。
【００１５】
この自動取引装置は、明細票印字部が、明細票に対して、濃度差を有する複数種類の印字パターンを印字する。そして、制御部が、発色状態検出手段による複数種類の印字パターンの検出状況を表示部に表示させる。
【００１６】
この自動取引装置は、保守員が、表示部に表示された複数種類の印字パターンの検出状況（例えば、濃度の濃い印字パターンと濃度の薄い印字パターンの双方が検出された場合や、濃度の濃い印字パターンのみ検出された場合、濃度の濃い印字パターンと濃度の薄い印字パターンの双方が検出されなかった場合等の状況）に応じて、発色状態検出手段のメンテナンスの必要の有無を判定することができる。そのため、この自動取引装置は、発色状態検出手段の不要なメンテナンスが行われるのを回避することができる。
【発明の効果】
【００１７】
第１発明によれば、発色状態検出手段の不要なメンテナンスが行われるのを回避する明細票取扱装置を提供することができる。
また、第２発明によれば、発色状態検出手段の不要なメンテナンスが行われるのを回避する自動取引装置を提供することができる。
【図面の簡単な説明】
【００１８】
【図１】実施形態１に係る自動取引装置の全体構成を示す図である。
【図２】実施形態１に係る明細票取扱部（明細票取扱装置）の構成を示す図である。
【図３】実施形態１で用いられる印字パターンの構成を示す図である。
【図４】実施形態１に係る自動取引装置の動作を示すフローチャートである。
【図５】実施形態２に係る自動取引装置の表示画面の一例を示す図である。
【図６】実施形態２で用いられる印字パターンの構成を示す図である。
【図７】実施形態２に係る自動取引装置の動作を示すフローチャートである。
【図８】印字パターンの変形例を示す図である。
【発明を実施するための形態】
【００１９】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００２０】
［実施形態１］
＜自動取引装置の構成＞
（自動取引装置の全体構成）
以下、図１を参照して、本実施形態１に係る自動取引装置の全体構成につき説明する。なお、図１は、本実施形態１に係る自動取引装置の全体構成を示す図である。
【００２１】
図１に示すように、本実施形態１に係る自動取引装置１０は、通信回線等を介して、金融機関等に設置されたホストコンピュータ６０と接続され、ホストコンピュータ６０との間で電文を送受信することにより、取引を実行する。自動取引装置１０は、制御部１１、表示操作部１２、明細票取扱部（明細票取扱装置）１３、カード取扱部１４、紙幣取扱部１５、硬貨取扱部１６、扉開閉検出センサ１７、及び、電源部１８を有している。
【００２２】
制御部１１は、アプリケーションプログラム等により自動取引装置１０の各部を制御する構成要素である。制御部１１は、特許請求の範囲に記載された「制御装置」に相当する。制御部１１は、表示操作部１２や、明細票取扱部１３、カード取扱部１４、紙幣取扱部１５、硬貨取扱部１６等の各部と接続され、各部に各種の指示を出力して、所定の処理を行わせる。
【００２３】
制御部１１は、自動取引装置１０の保守・点検時に、保守員によって保守・点検用のプログラムの実行が指示される。これにより、制御部１１は、図示せぬ記憶部から保守・点検用のプログラムを読み出して、自動取引装置１０の各部の保守・点検、及び、メンテナンスの必要の有無の判定を行う。このとき、制御部１１は、後記する発色確認用反射センサ２６（図２参照）についても、保守・点検、及び、メンテナンスの必要の有無の判定を行う。保守員は、制御部１１によってメンテナンスが必要であると判定された場合に、メンテナンスが必要と判定された各部の清掃や調整等のメンテナンスを行う。
【００２４】
なお、ここでは、発色確認用反射センサ２６の保守・点検及びメンテナンスの必要の有無の判定は、制御部１１が行うものとして説明する。しかしながら、この判定は、後記するように、保守員に行わせてもよい。
【００２５】
表示操作部１２は、各種の情報の表示及び各種の指示やデータの入力を行う構成要素である。表示操作部１２は、「表示部」としての図示せぬディスプレイと「入力部」としての図示せぬタッチパネルとが一体化されることによって構成されている。
明細票取扱部１３は、明細票３１（図３参照）を印字・発行する構成要素である。明細票取扱部１３は、特許請求の範囲に記載された「明細票取扱装置」に相当する。明細表取り扱い部１３の構成については、図２を参照して後記する。
【００２６】
カード取扱部１４は、カードの磁気データの読み取り・書き込みや、カードのエンボスのイメージ読み取り等を行う構成要素である。
紙幣取扱部１５は、紙幣の入出処理や鑑別処理等を行う構成要素である。
硬貨取扱部１６は、硬貨の入出処理や鑑別処理等を行う構成要素である。
【００２７】
扉開閉検出センサ１７は、自動取引装置１０の筐体に設けられた図示せぬ扉の開閉状態を検出するためのセンサである。
電源部１８は、商用電源６１から装置内部で使う電源を生成して各部に供給する構成要素である。
【００２８】
（明細票取扱部の構成）
以下、図２を参照して、明細票取扱部１３の構成につき説明する。なお、図２は、実施形態１に係る明細票取扱部（明細票取扱装置）の構成を示す図である。
【００２９】
図２に示すように、明細票取扱部１３は、サブ制御部２０、明細票用紙供給部２１、明細票印字部２２、明細票カット部２３、明細票搬送部２４、及び、明細票取込部２５を備えている。
【００３０】
サブ制御部２０は、制御部１１からの各種の指示に従って、明細票取扱部１３の各部の動作を制御する機能手段である。サブ制御部２０は、例えば、明細票用紙供給部２１、明細票印字部２２や、明細票カット部２３、明細票搬送部２４、明細票取込部２５等に設けられた、図示せぬアクチュエータや、サーマルヘッド、センサ等の動作を制御する。これにより、明細票取扱部１３は、明細票３１の印字／カット／搬送／位置検出等を行う。
【００３１】
明細票用紙供給部２１は、明細票３１（図３参照）の元となる感熱ロール紙Ｒを収容し、感熱ロール紙Ｒを明細票印字部２２に繰り出す構成要素である。
明細票印字部２２は、図示せぬラインサーマルヘッド等の印字手段によって、感熱ロール紙Ｒに各種の情報を印字する構成要素である。
明細票カット部２３は、感熱ロール紙Ｒを所定の寸法で明細票３１として切り離す構成要素である。
【００３２】
明細票搬送部２４は、明細票印字部２２及び明細票カット部２３によって、印字・カットされた明細票３１を所定の場所に搬送して顧客に受け渡す構成要素である。
明細票取込部２５は、顧客が取り忘れた明細票３１や装置の障害内容等の情報が印字された明細票３１を取り込んで保管する構成要素である。
【００３３】
なお、明細票搬送部２４には、発色確認用反射センサ２６が設けられている。発色確認用反射センサ２６は、明細票３１の発色状態を検出するための光学センサであり、特許請求の範囲に記載された「発色状況検出手段」に相当する構成要素である。発色確認用反射センサ２６は、明細票３１の表面に光を照射するＬＥＤ等の発光素子と、明細書３１の表面で反射した光を受ける受光センサとからなる光学センサとして構成されている。
【００３４】
発色確認用反射センサ２６は、発光素子が、明細票３１の表面に光を照射し、受光センサが、明細票３１に印字された印字パターン３３，３５（図３参照）とその周囲の白地部との光の反射率の違いを検出し、その違いに応じた検出信号を制御部１１（図１参照）に出力する。
【００３５】
（印字パターンの構成）
図３は、実施形態１で用いられる印字パターンの構成を示す図である。印字パターン３３，３５は、明細票３１の発色状態を確認するために、明細票印字部２２によって明細票３１の元となる感熱ロール紙Ｒに印字されるパターンである。なお、ここでは、感熱ロール紙Ｒは、白地のものが用いられ、印字されることによって黒色に発色するものとする。図３（ａ）は、印字パターン３３，３５の印字位置を示している。また、図３（ｂ）は、印字パターン３３の図３（ａ）に示す領域３４部分を拡大して示している。また、図３（ｃ）は、印字パターン３５の図３（ａ）に示す領域３６部分を拡大して示している。
【００３６】
自動取引装置１０の制御部１１（図１参照）は、発色確認用反射センサ２６のメンテナンスの必要の有無を判定する場合に、サブ制御部２０を介して明細票印字部２２に２種類の印字パターン３３，３５を感熱ロール紙Ｒに印字させる。
【００３７】
このとき、明細票印字部２２は、図３（ａ）に示すように、印字パターン３３，３５がセンサ通過範囲３２を跨（また）ぐように、印字する。なお、「センサ通過範囲３２」とは、明細票３１が明細票搬送部２４によって搬送される際に、発色確認用反射センサ２６が通過する範囲を意味している。図３（ａ）に示す例では、「センサ通過範囲３２」の印字パターン３３，３５が印字されていない部分にハッチングが付されているが、実際は白地部となっている。
【００３８】
印字パターン３３，３５は、図３（ｂ）及び図３（ｃ）に示すように、濃度差が付けられて印字されている。例えば、図３（ｂ）に示す例では、印字パターン３３は、印字率１００％の濃度で印字されている。一方、図３（ｃ）に示す例では、印字パターン３５は、印字率７５％の濃度で印字されている。
【００３９】
なお、「印字率１００％」とは、印字範囲内の全ドットに占める印字されたドット（以下、「印字ドット」と称する）の割合が１００％であることを意味している。また、「印字率７５％」とは、印字範囲内の全ドットに占める印字ドットの割合が７５％であることを意味している。したがって、「印字率」は、値が大きいほど濃度が濃く、値が小さいほど濃度が薄いことを表している。以下、印字パターン３３，３５を区別する場合に、濃度が濃い方の印字パターン３３を「第１印字パターン３３」と称し、濃度が薄い方の印字パターン３５を「第２印字パターン３５」と称する。
【００４０】
ここでは、印字率１００％の第１印字パターン３３は、明細票印字部２２が、感熱ロール紙Ｒの印字範囲内の全ドットを印字して発色させることによって、形成されるものとする。
【００４１】
また、印字率７５％の第２印字パターン３５は、明細票印字部２２が、感熱ロール紙Ｒの搬送方向に対して斜め方向に、印字ドットと印字されていないドット（以下、「未印字ドット」と称する）とが３：１の割合で混在する多数のラインを等間隔に印字することにより、形成されるものとする。具体的には、明細票印字部２２は、感熱ロール紙Ｒの搬送方向に対して斜め方向に、１本のラインにつき、３ドット続けて印字した後、１ドット印字しない動作を繰り返すことによって、多数のラインを等間隔に印字し、これによって、第２印字パターン３５を形成する。なお、ここでは、第２印字パターン３５は、斜め方向に印字された多数のラインによって形成されている。しかしながら、第２印字パターン３５は、印字ドットと未印字ドットとが印字率に応じた割合で印字範囲内に分散して配置されていれば、このような手法で形成されていなくてもよい。
【００４２】
自動取引装置１０は、明細票印字部２２が印字パターン３３，３５を感熱ロール紙Ｒに印字すると、明細票カット部２３が、感熱ロール紙Ｒを所定の寸法で明細票３１として切り離し、明細票搬送部２４が、明細票３１を所定の場所に搬送する。
【００４３】
その際に、明細票搬送部２４は、明細票３１を図３（ａ）に示す搬送方向Ａに搬送する。このとき、発色確認用反射センサ２６は、印字パターン３３，３５とその周囲の白地部との光の反射率の違いに基づいて、明細票３１から印字パターン３３，３５を順次検出し、検出信号を制御部１１（図１参照）に出力する。
【００４４】
制御部１１は、発色確認用反射センサ２６からの検出信号に基づいて、発色確認用反射センサ２６が印字パターン３３，３５を検出しているか否かを判定し、印字パターン３３，３５の検出状況に応じて、発色確認用反射センサ２６のメンテナンスの必要の有無を判定する。
【００４５】
＜自動取引装置の動作＞
以下、図２及び図４を参照して、自動取引装置１０の動作につき説明する。図４は、実施形態１に係る自動取引装置の動作を示すフローチャートである。なお、自動取引装置１０は、図示せぬタイマによって計測された時間に基づいて動作する。また、自動取引装置１０の動作は、図示せぬ記憶部に読み出し自在に予め格納されたプログラムによって規定されており、制御部１１によって実現する。以下、これらの点については、情報処理では常套手段であるので、その詳細な説明を省略する。
【００４６】
自動取引装置１０の制御部１１（図１参照）は、自動取引装置１０の保守・点検時に、保守員が表示操作部１２（図１参照）を操作して保守・点検用のプログラムの実行を指示することによって、一連の処理を開始する。このとき、制御部１１は、図示せぬ記憶部から保守・点検用のプログラムを読み出して、以下のようにして、発色確認用反射センサ２６のメンテナンスの必要の有無を判定する。
【００４７】
まず、自動取引装置１０の制御部１１は、第１印字パターン３３の濃度が印字率１００％となり、第２印字パターン３５の濃度が印字率７５％となるように、印字パターン３３，３５の印字指示を、明細票取扱部１３のサブ制御部２０に出力する。サブ制御部２０は、印字パターン３３，３５の印字指示が入力されると、明細票用紙供給部２１に、感熱ロール紙Ｒを繰り出させるとともに、明細票印字部２２に、印字パターン３３，３５の感熱ロール紙Ｒへの印字を行わせる（Ｓ１０５）。このとき、明細票印字部２２は、印字率１００％の濃度で第１印字パターン３３を印字するとともに、印字率７５％の濃度で第２印字パターン３５を印字する。
【００４８】
サブ制御部２０は、印字パターン３３，３５が感熱ロール紙Ｒに印字されると、明細票用紙供給部２１に、感熱ロール紙Ｒを明細票カット部２３まで繰り出させる。そして、サブ制御部２０は、明細票カット部２３に、感熱ロール紙Ｒを所定の寸法で切り離させ、さらに、明細票搬送部２４に、感熱ロール紙Ｒの切り離された部分を明細票３１として所定の場所に搬送させる（Ｓ１１０）。
【００４９】
このとき、制御部１１は、発色確認用反射センサ２６の検出状態を監視する（Ｓ１１５）。具体的には、発色確認用反射センサ２６は、発光素子が、明細票３１が通過する方向に向けて光の照射を開始し、受光センサが、明細票３１に印字された印字パターン３３，３５とその周囲の白地部との光の反射率の違いを検出し、その違いに応じて検出信号を制御部１１に出力する。その結果、発色確認用反射センサ２６は、明細票３１が発色確認用反射センサ２６上を通過すると、明細票３１に印字された印字パターン３３，３５の検出信号を制御部１１に出力する。
【００５０】
制御部１１は、発色確認用反射センサ２６からの検出信号に基づいて、発色確認用反射センサ２６が第１印字パターン３３及び第２印字パターン３５の双方を検出したか否かを判定する（Ｓ１２０）。
【００５１】
Ｓ１２０の判定で、発色確認用反射センサ２６が第１印字パターン３３及び第２印字パターン３５の双方を検出したと判定された場合（“Ｙｅｓ”の場合）に、制御部１１は、発色確認用反射センサ２６のメンテナンスが不要であると判定し、表示操作部１２に、発色確認用反射センサ２６のメンテナンスが不要である旨の表示を表示させる（Ｓ１２５）。これにより、制御部１１は、一連の処理を終了する。
【００５２】
一方、Ｓ１２０の判定で、発色確認用反射センサ２６が第１印字パターン３３及び第２印字パターン３５の双方を検出していないと判定された場合（“Ｎｏ”の場合）に、制御部１１は、発色確認用反射センサ２６からの検出信号に基づいて、発色確認用反射センサ２６が第１印字パターン３３のみを検出したか否かを判定する（Ｓ１３０）。第１印字パターン３３は、濃度が濃い方の印字パターンである。
【００５３】
Ｓ１３０の判定で、発色確認用反射センサ２６が第１印字パターン３３のみを検出したと判定された場合（“Ｙｅｓ”の場合）に、制御部１１は、一定期間以内の発色確認用反射センサ２６のメンテナンスが必要であると判定し、表示操作部１２に、一定期間以内の発色確認用反射センサ２６のメンテナンスが必要である旨の表示を表示させる（Ｓ１３５）。これにより、制御部１１は、一連の処理を終了する。
【００５４】
一方、Ｓ１３０の判定で、発色確認用反射センサ２６が第１印字パターン３３も検出していないと判定された場合（“Ｎｏ”の場合）に、制御部１１は、至急に、発色確認用反射センサ２６のメンテナンスが必要であると判定し、表示操作部１２に、至急に、発色確認用反射センサ２６のメンテナンスが必要である旨の表示を表示させる（Ｓ１４０）。この場合に、制御部１１は、保守員による発色確認用反射センサ２６のメンテナンスの実行を監視する（Ｓ１４５）。
【００５５】
メンテナンスの実行の監視は、例えば、扉開閉検出センサ１７（図１参照）から出力された検出信号に基づいて、制御部１１が、自動取引装置１０の筐体に設けられた図示せぬ扉の開閉状態を監視することによって行われる。
【００５６】
制御部１１は、扉の開閉を表す検出信号が扉開閉検出センサ１７から入力されたか否かを判定する（Ｓ１５０）。
【００５７】
Ｓ１５０の判定で、扉の開閉を表す検出信号が扉開閉検出センサ１７から入力されていないと判定された場合（“Ｎｏ”の場合）に、制御部１１は、検出信号が入力されるのを待つ。
【００５８】
一方、Ｓ１５０の判定で、扉の開閉を表す検出信号が扉開閉検出センサ１７から入力されたと判定された場合（“Ｙｅｓ”の場合）に、制御部１１は、保守員が発色確認用反射センサ２６のメンテナンスを行うために扉を開け、発色確認用反射センサ２６のメンテナンスを行った後、扉を閉めたものと判定する。この場合に、処理は、Ｓ１０５に戻る。その結果、制御部１１は、Ｓ１０５以降の処理を繰り返す。
制御部１１の一連の処理は、以上の通りである。
【００５９】
このように、制御部１１は、濃度差を有する２種類の発色確認用の印字パターン３３，３５（図３参照）の検出状況に応じて、発色確認用反射センサ２６のメンテナンスの必要の有無を判定し、その判定結果を表示操作部１２に表示させる。そのため、自動取引装置１０は、発色確認用反射センサ２６のメンテナンスが不要な場合に、その旨を保守員に知らせることができる。その結果、自動取引装置１０は、発色確認用反射センサ２６の不要なメンテナンスが行われるのを回避することができ、保守員の作業効率を向上させることができる。
【００６０】
なお、発色確認用反射センサ２６のメンテナンス時に行われる作業としては、以下の項目がある。
（１）発色確認用反射センサ２６の検出精度の劣化の有無確認（発色確認用反射センサ２６の検出性能レベルの確認）。
（２）発色確認用反射センサ２６の清掃。
（３）発色確認用反射センサ２６の調整（ＬＥＤ等の発光素子の発光量の調整や、受光センサの出力の増幅度の調整等）。
【００６１】
なお、本実施形態１では、自動取引装置１０は、メンテナンスの第１項目の作業（発色確認用反射センサ２６の検出精度の劣化の有無確認）に準じた処理として、制御部１１が、発色確認用反射センサ２６による印字パターン３３，３５の検出結果に基づいて、発色確認用反射センサ２６のメンテナンスの必要の有無を自動的に判定し、その判定結果を表示操作部１２に出力して表示させる構成となっている。保守員は、その判定結果で発色確認用反射センサ２６のメンテナンスが必要であると判定された場合に、メンテナンスの第２項目と第３項目の作業（発色確認用反射センサ２６の清掃と調整）を行っている。
【００６２】
しかしながら、保守員は、発色確認用反射センサ２６による印字パターン３３，３５の検出結果を確認するとともに、明細票３１に印字された印字パターン３３，３５の鮮明さを目視にて確認することによって、メンテナンスの第１項目の作業（発色確認用反射センサ２６の検出精度の劣化の有無確認）を行うようにしてもよい。
【００６３】
その際に、発色確認用反射センサ２６による印字パターン３３，３５の検出結果で印字パターン３３，３５の双方がともに検出されていれば、保守員は、発色確認用反射センサ２６の検出精度の劣化がないと判断する。この場合に、保守員は、一定以上の期間で発色確認用反射センサ２６の検出機能・性能を維持できると判断して、メンテナンスを終了する。すなわち、この場合に、保守員は、メンテナンスの第２項目と第３項目の作業（発色確認用反射センサ２６の清掃と調整）を行わない。
【００６４】
一方、発色確認用反射センサ２６による印字パターン３３，３５の検出結果で印字パターン３３，３５のいずれか一方又は双方が検出されていなければ、保守員は、明細票３１に印字された印字パターン３３，３５の鮮明さを目視にて確認する。印字パターン３３，３５が十分に鮮明である場合に、保守員は、発色確認用反射センサ２６の検出精度の劣化があると判断する。この場合に、保守員は、発色確認用反射センサ２６の検出機能・性能を維持できないと判断して、メンテナンスの第２項目と第３項目の作業（発色確認用反射センサ２６の清掃と調整）を行う。また、印字パターン３３，３５が鮮明でない場合に、保守員は、明細票印字部２２の印字性能の劣化があると判断する。この場合に、保守員は、明細票印字部２２の図示せぬサーマルヘッドの清掃と調整を行う。
【００６５】
以上の通り、実施形態１に係る自動取引装置１０によれば、濃度差を有する２種類の発色確認用の印字パターン３３，３５（図３参照）の検出状況（ただし、制御部１１が、発色確認用反射センサ２６による印字パターン３３，３５の検出結果に基づいて、発色確認用反射センサ２６のメンテナンスの必要の有無を自動的に判定する場合の、判定結果を含む）を表示操作部１２に表示させるため、保守員が発色確認用反射センサ２６のメンテナンスの必要の有無を判定することができる。その結果、発色確認用反射センサ２６の不要なメンテナンスが行われるのを回避することができ、保守員の作業効率を向上させることができる。
【００６６】
［実施形態２］
実施形態１では、第２印字パターン３５の濃度が印字率７５％に設定されていた。
これに対して、本実施形態２では、第２印字パターン３５の濃度は、図５に示すように、保守員が表示操作部１２を操作することによって任意の値に変更されるものとする。なお、自動取引装置１０の構成等は、実施形態１と同様である。
【００６７】
図５は、実施形態２に係る自動取引装置の表示画面の一例を示す図である。図５は、表示操作部１２に表示された印字率指定画面５１の一構成例を示している。「印字率指定画面５１」は、第２印字パターン３５の印字率を指定するための画面である。図５に示す例では、印字率指定画面５１は、印字率選択ボタン５２、任意指定ボタン５３、及び、実行ボタン５４を含む構成となっている。
【００６８】
印字率選択ボタン５２は、予め定められた複数の印字率の中から第２印字パターン３５の濃度を選択するか、又は、第２印字パターン３５の濃度を任意の値に指定するかを、選択するためのボタンである。
【００６９】
任意指定ボタン５３は、第２印字パターン３５の濃度を任意の値に指定するためのボタンである。第２印字パターン３５の濃度は、保守員によって任意指定ボタン５３が押下されることによって、上昇又は下降して、任意の値に設定される。
【００７０】
実行ボタン５４は、指定された濃度で第２印字パターン３５の印字を指示するためのボタンである。実行ボタン５４は、保守員によって第２印字パターン３５の濃度が指定された後に、押下される
【００７１】
図５に示す例では、印字率選択ボタン５２として、「印字率：７５％」ボタン、「印字率：５０％」ボタン、「印字率：２５％」ボタン、及び、「印字率：任意指定」ボタンが示されている。
【００７２】
「印字率：７５％」ボタン、「印字率：５０％」ボタン、及び、「印字率：２５％」ボタンは、それぞれ、第２印字パターン３５の濃度を、印字率７５％、５０％、又は、２５％のいずれかに指定するためのボタンである。なお、印字率７５％の第２印字パターン３５は、図３（ｃ）に示す形態となる。また、印字率５０％の第２印字パターン３５は、例えば、図６（ａ）に示す形態となり、印字率２５％の第２印字パターン３５は、例えば、図６（ｂ）に示す形態となる。なお、図６は、実施形態２で用いられる印字パターンの構成を示す図である。
【００７３】
図６（ａ）に示す例では、明細票印字部２２は、感熱ロール紙Ｒの搬送方向に対して斜め方向に、１本のラインにつき、２ドット続けて印字した後、２ドット続けて印字しない動作を繰り返すことによって、多数のラインを等間隔に印字し、これによって、印字率５０％の第２印字パターン３５を形成している。
【００７４】
また、図６（ｂ）に示す例では、明細票印字部２２は、感熱ロール紙Ｒの搬送方向に対して斜め方向に、１本のラインにつき、１ドット印字した後、３ドット続けて印字しない動作を繰り返すことによって、多数のラインを等間隔に印字し、これによって、印字率２５％の第２印字パターン３５を形成している。
【００７５】
「印字率：任意指定」ボタンは、第２印字パターン３５の濃度を任意の値に指定するためのボタンである。保守員は、任意指定ボタン５３によって任意の値を指定する場合に、「印字率：任意指定」ボタンを押下する。これにより、任意指定ボタン５３が利用可能になる。なお、任意指定ボタン５３の周囲（図５に示す例では、任意指定ボタン５３の左側）には、第２印字パターン３５の濃度の値を表示する表示欄が設けられている。保守員は、表示欄に表示された第２印字パターン３５の濃度の値を見ながら、任意指定ボタン５３を操作して、第２印字パターン３５の濃度の値を上昇又は下降させる。これにより、第２印字パターン３５の濃度が任意の値に指定される。
【００７６】
以下、図７を参照して、本実施形態２の動作につき説明する。ここでは、実施形態１と相違する動作を重点的に説明し、実施形態１と同様の動作（図４参照）については、前記した実施形態１の動作を本実施形態２の動作に読み替えるものとして、詳細な説明を省略する。なお、図７は、実施形態２に係る自動取引装置の動作を示すフローチャートである。
【００７７】
図７に示すように、本実施形態２の動作は、実施形態１の動作（図４参照）と比較すると、Ｓ１０５の前に、以下に説明するＳ１０１〜Ｓ１０３の処理を行う点で相違している。
【００７８】
すなわち、まず、自動取引装置１０の制御部１１は、印字率選択画面５１（図５参照）を操作表示部１２（図１参照）に表示させる（Ｓ１０１）。
【００７９】
このとき、保守員は、（１）印字率選択ボタン５２の中の「印字率：７５％」ボタン、「印字率：５０％」ボタン、及び、「印字率：２５％」ボタンのいずれかのボタンを押下した後、実行ボタン５４を押下するか、又は、（２）印字率選択ボタン５２の中の「印字率：任意指定」ボタンを押下して、さらに、任意指定ボタン５３を１乃至複数回押下した後、実行ボタン５４を押下することになる。
【００８０】
保守員は、印字率指定画面５１で、印字率選択ボタン５２、任意指定ボタン５３、及び、実行ボタン５４を適宜押下することにより、第２印字パターン３５の印字率を任意に選択することができる。これにより、保守員は、発色確認用反射センサ２６の機能・性能を維持する期間に応じて、第２印字パターン３５の濃度を変更することができる。なお、発色確認用反射センサ２６の機能・性能を維持する期間を短く設定する場合は、第２印字パターン３５の濃度として、値の低い印字率に選択するとよい。ここでは、保守員は、実施形態１の第２印字パターン３５と同じ濃度である「印字率７５％」と、実施形態１の第２印字パターン３５の濃度よりも薄い濃度である「印字率５０％」及び「印字率２５％」との中から、いずれかの印字率を選択指定し、実行ボタン５４の押下で印字するものとする。
【００８１】
表示操作部２４の図示せぬタッチパネルは、印字率選択画面５１に表示された任意のボタンが保守員によって押下されると、押下されたボタンの座標位置を検出してその座標位置情報を制御部１１に通知する。制御部１１は、座標位置情報に基づいて、保守員によって押下されたボタンを識別して、印字率の入力を検出する（Ｓ１０２）。
【００８２】
制御部１１は、印字率の入力を検出すると、Ｓ１０２で検出された印字率を第２印字パターン３５の濃度として図示せぬ記憶部に設定する（Ｓ１０３）。
【００８３】
Ｓ１０３の後、制御部１１は、第１印字パターン３３の濃度が印字率１００％となり、第２印字パターン３５の濃度が保守員によって入力された印字率の値（Ｓ１０３で、図示せぬ記憶部に設定された値）となるように、印字パターン３３，３５の印字指示を、明細票取扱部１３のサブ制御部２０に出力する。これにより、サブ制御部２０は、Ｓ１０５で、明細票用紙供給部２１に、感熱ロール紙Ｒを繰り出させるとともに、明細票印字部２２に、印字パターン３３，３５の感熱ロール紙Ｒへの印字を行わせる。このとき、明細票印字部２２は、印字率１００％の濃度で第１印字パターン３３を印字するとともに、保守員によって入力された印字率の濃度で第２印字パターン３５を印字する。
以下、制御部１１は、実施形態１（図４参照）と同様に動作する。
【００８４】
実施形態２は、発色確認用反射センサ２６の機能・性能を維持する期間に応じて、第２印字パターン３５の濃度を変更することができる。そのため、実施形態２によれば、点検周期に合わせた発色確認用反射センサ２６の検出状態の確認が可能となる。
【００８５】
本発明は、前記した実施形態に限定されることなく、本発明の要旨を逸脱しない範囲で種々の変更や変形を行うことができる。
【００８６】
例えば、実施形態１及び実施形態２では、自動取引装置１０は、２つの印字パターン３３，３５を印字しているが、図８に示すように３つ以上の印字パターンを印字するようにしてもよい。図８は、印字パターンの変形例を示す図である。図８（ａ）は、印字パターン３３，３５，３７の印字位置を示している。また、図８（ｂ）は、印字パターン３３の図８（ａ）に示す領域３４部分を拡大して示している。また、図８（ｃ）は、印字パターン３５の図８（ａ）に示す領域３６部分を拡大して示している。また、図８（ｄ）は、印字パターン３７の図８（ａ）に示す領域３８部分を拡大して示している。
【００８７】
図８に示す例では、自動取引装置１０の制御部１１は、サブ制御部２０を介して明細票印字部２２に、印字率１００％の第１印字パターン３３及び印字率７５％の第２印字パターン３５に加え、印字率５０％の第３印字パターン３７を印字させている。
【００８８】
自動取引装置１０は、このように、濃度階調をつけて、３つ以上の印字パターンを明細票３１に印字することにより、発色確認用反射センサ２６のメンテナンスが必要な時期を、実施形態１よりも細かく判定することができる。
【００８９】
また、例えば、実施形態１及び実施形態２では、明細票取扱装置１３は、自動取引装置１０に搭載されており、明細票３１の元となる感熱ロール紙Ｒに印字パターン３３，３５（又は、３３，３５，３７）を印字して発色状態を確認するものとして説明した。しかしながら、明細票取扱装置１３は、自動取引装置１０以外の装置、例えば、発券プリンタやジャーナルプリンタ等の明細票３１以外の感熱紙へ印字する装置に搭載することも可能である。
【符号の説明】
【００９０】
１０    自動取引装置
１１    制御部
１２    表示操作部（表示部，入力部）
１３    明細票取扱部（明細票取扱装置）
１４    カード取扱部
１５    紙幣取扱部
１６    硬貨取扱部
１７    扉開閉検出センサ
１８    電源部
２１    明細票用紙供給部
２２    明細票印字部
２３    明細票カット部
２４    明細票搬送部
２５    明細票取込部
２６    発色確認用反射センサ（発色状態検出手段）
３１    明細票
３２    センサ通過範囲
３３，３５，３７    印字パターン
６０    ホストコンピュータ
６１    商用電源
【図１】
0005480733.tif 000002
【図２】
0005480733.tif 000003
【図３】
0005480733.tif 000004
【図４】
0005480733.tif 000005
【図５】
0005480733.tif 000006
【図６】
0005480733.tif 000007
【図７】
0005480733.tif 000008
【図８】
0005480733.tif 000009